(57)【特許請求の範囲】
【請求項１】
可動レンズと、
前記可動レンズを保持し、撮影状態および沈胴状態の間で光軸方向に移動可能な可動レンズ保持部材と、
前記沈胴状態における前記可動レンズの前面を覆う閉位置と、前記前面を開放して前記撮影状態および前記沈胴状態の間における前記可動レンズ保持部材の移動を許容する開位置との間で移動可能なレンズバリアと、
前記可動レンズの前面を閉じた状態の前記レンズバリアの光軸方向位置に対して、前記可動レンズ保持部材の前端が前方にあるか否かを検出するレンズ位置検出手段と、を有するレンズ装置において、
前記沈胴状態の前記可動レンズ保持部材を光軸方向前方に移動させるときであって、前記レンズバリアが前記開位置より前記閉位置側にあるときに、前記可動レンズ保持部材は前記レンズバリアに干渉されることによって光軸方向の移動可能範囲が規制され、
前記撮影状態の前記可動レンズ保持部材を光軸方向後方に移動させて前記レンズバリアを前記開位置から前記閉位置に移動させる際、前記可動レンズ保持部材の移動に先立って前記レンズバリアを前記開位置の方向に一旦駆動させることを特徴とするレンズ装置。
【請求項２】
前記レンズバリアを前記閉位置から前記開位置に移動させて前記沈胴状態の前記可動レンズ保持部材を光軸方向前方に移動させる際に、前記レンズバリアの移動に先立って前記可動レンズ保持部材を光軸方向後方に一旦駆動させることを特徴とする請求項１に記載のレンズ装置。
【請求項３】
請求項１または２に記載のレンズ装置を備えたことを特徴とするカメラ。
【請求項４】
請求項１または２に記載のレンズ装置を備えたカメラであって、
前記レンズ位置検出手段により、前記可動レンズ保持部材の前端が前記レンズバリアの光軸方向位置よりも前方にあることを検出されたとき、前記可動レンズを通じた撮影を許容することを特徴とするカメラ。
【請求項５】
請求項３又は４に記載のカメラであって、
前記レンズ位置検出手段により、前記可動レンズ保持部材の前端が前記レンズバリアの光軸方向位置よりも前方にあることを検出されたとき、撮影準備動作を行うことを特徴とするカメラ。
【発明の詳細な説明】
【０００１】
【発明の属する技術分野】
本発明は、光軸方向に移動可能なレンズを有する、デジタルスチルカメラ、ビデオカメラおよび銀塩カメラ等のカメラに用いられるレンズ装置に関するものである。
【０００２】
【従来の技術】
レンズ装置には、その前面を覆ってレンズ面を保護したり前面を開放してカメラ撮影等を可能としたりするために開閉駆動されるレンズバリアが設けられる場合がある。そして、このようなレンズバリアを備えたレンズ装置では、レンズバリアが閉じた状態でカメラ撮影されることがないようレンズバリアの開閉状態を検出するバリア開閉検出手段と、レンズ装置内で可動レンズが収納位置から撮影可能な位置に移動したか否かを検出するためのレンズ位置検出手段とが設けられることが多い。また、レンズ位置検出手段をバリア開閉検出手段と兼用する場合もある。
【０００３】
【発明が解決しようとする課題】
しかしながら、レンズ位置検出手段とバリア位置検出手段とを全く別々の検出手段として構成すると、部品点数や電気回路が多く必要となり、コスト高を招いたり、レンズ装置の小型化や軽量化の障害になったりする。
【０００４】
また、レンズ位置検出手段をバリア開閉検出手段と兼用すると、レンズバリアとの連結部の構成の複雑化や部品点数の増加を招き、コスト高や小型・軽量化の障害になる。
【０００５】
そこで、本発明は、バリアの開閉を検出する手段を廃し、簡単な構成で、低コストで小型・軽量なレンズ装置を提供することを目的とする。また、本発明は、使用中に開状態のレンズバリアが可動レンズに当接しても、可動レンズの収納動作がスムーズに行えるようにしたレンズ装置を提供することを目的とする。
【０００６】
また、本発明は、非使用時に可動レンズの位置が鏡筒内でずれた場合でも、レンズバリアの開動作がスムーズに行えるようにしたレンズ装置を提供することを目的とする。
【０００８】
【課題を解決するための手段】
上記の目的を達成するために、本発明では、可動レンズと、可動レンズを保持し、撮影状態および沈胴状態の間で光軸方向に移動可能な可動レンズ保持部材と、沈胴状態における可動レンズの前面を覆う閉位置と、上記前面を開放して撮影状態および沈胴状態の間における可動レンズ保持部材の移動を許容する開位置との間で移動可能なレンズバリアと、可動レンズの前面を閉じた状態のレンズバリアの光軸方向位置に対して、可動レンズ保持部材の前端が前方にあるか否かを検出するレンズ位置検出手段と、を有するレンズ装置において、沈胴状態の可動レンズ保持部材を光軸方向前方に移動させるときであって、レンズバリアが開位置より閉位置側にあるときに、可動レンズ保持部材はレンズバリアに干渉されることによって光軸方向の移動可能範囲が規制され、撮影状態の可動レンズ保持部材を光軸方向後方に移動させてレンズバリアを開位置から閉位置に移動させる際、可動レンズ保持部材の移動に先立ってレンズバリアを開位置の方向に一旦駆動させることを特徴とする。
【０００９】
これにより、レンズバリアが完全に開いてないときには、可動レンズ保持部材は、例えば、カメラ撮影が可能な領域に移動することができないので、レンズバリアの開閉状態を検出するまでもなく撮影を防止することが可能となる。一方、レンズバリアが開いていれば、可動レンズ保持部材が撮影可能な領域に移動でき、位置検出されるため、レンズバリアの開閉状態を検出するまでもなく撮影を許容することができる。このように、レンズバリアの開閉状態を検出する手段を設けなくても、レンズバリアの開閉状態に応じた適切な撮影可否の判断が可能となる。
【００１３】
また、本発明では、レンズ装置又はカメラの使用中に振動等によってレンズバリアが閉位置の方向にずれて可動レンズ保持部材に当接していても、可動レンズ保持部材を光軸方向後方に移動させる前にレンズバリアを開位置の方向に一旦駆動して可動レンズ保持部材から確実に離すことができるため、レンズバリアに無理な負荷をかけることなく可動レンズを移動（収納）させることが可能となる。
本発明において、レンズバリアを閉位置から開位置に移動させて沈胴状態の可動レンズ保持部材を光軸方向前方に移動させる際に、レンズバリアの移動に先立って可動レンズ保持部材を光軸方向後方に一旦駆動させることができる。これにより、レンズ装置又はカメラの不使用時に振動等によって可動レンズ保持部材が光軸方向前方にずれてレンズバリアに当接しても、レンズバリアを開動作させる前に可動レンズ保持部材を確実にレンズバリアから離すことができるため、レンズバリアをスムーズに開動作させることが可能となる。このため、レンズバリアを駆動する駆動源に余計な負荷がかからず、駆動源の小型化、ひいてはレンズ装置やカメラの小型・軽量化に有効となる。
【００１４】
【発明の実施の形態】
（第１実施形態）
図１から図５には、本発明の第１実施形態であるレンズ装置の構成を示している。図１はレンズ装置（バリア開状態）を光軸直交方向から見た場合の断面図であり、図２はレンズ装置を図１のＡ−Ａ断面から見た場合の図である。また、図３はレンズ装置（バリア開状態）を光軸方向前方から見た図であり、図４はレンズ装置（バリア閉状態）を光軸直交方向から見た場合の断面図である。さらに、図５はレンズ装置（バリア閉状態）を光軸方向前方から見た図である。なお、本実施形態のレンズ装置は、デジタルスチルカメラやビデオカメラ等のカメラに備えられる。
【００１５】
これらの図において、１は固定レンズ枠、２は固定レンズ枠１に取り付けられた前枠である。なお、固定レンズ枠１および前枠２により装置本体が構成される。
【００１６】
３は固定レンズ枠１と前枠２との間に挟まれ、光軸方向に延びるスリーブバー、４は固定レンズ枠１と前枠２との間に挟まれ、光軸方向に延びる回転規制バーである。５は第１可動レンズ、６は第２可動レンズ、８は第１可動レンズ５と第２可動レンズ６を保持し、スリーブバー３により光軸方向にガイドされるとともに、回転規制バー４によりスリーブバー３を中心とした回転が規制される可動レンズ枠である。
【００１７】
９は可動レンズ枠８に取り付けられた絞りユニット、１０は固定レンズ枠１に取り付けられたレンズ駆動用ステッピングモーター、１１は可動レンズ枠８に形成された穴８ａと穴８ｂに挿入され、可動レンズ枠８に対して光軸方向に移動可能に取り付けられたラックである。このラック１１は、ステッピングモーター１０の出力軸と一体的に設けられた送りネジ１０ａと噛み合っている。
【００１８】
このため、不図示の制御回路によりステッピングモーター１０が駆動され、送りネジ１０ａが回転すると、可動レンズ枠８は光軸方向に駆動される。これにより、図１に示すように、可動レンズ枠８を前枠２から突出させた状態でピント合わせのために光軸方向に移動させたり、図４に示すように、可動レンズ枠８を前枠２から後退させて収納する（沈胴させる）ことができる。なお、１２はラック１１を可動レンズ枠８の後ろ側に片寄せして、ラック１１と可動レンズ枠８との光軸方向位置決めを行わせるラックばねである。また、不図示の制御回路により絞りユニット９を駆動することにより、絞り開口径を変化させることができる。
【００１９】
１３は可動レンズ枠８の位置検出をするレンズ位置センサ（レンズ位置検出手段）である。このレンズ位置センサ１３は、本実施形態では、発光部と受光部とを有するフォトインタラプタからなり、図４に示すように可動レンズ枠８の遮光部８ｃが発光部から受光部への光を遮断する位置に位置するときには検出信号を出力せず、図１に示すように遮光部８ｃが発光部から受光部への光を遮断しない位置に位置するときに検出信号を出力する。
【００２０】
１４は固定レンズ枠１に取り付けられたＣＣＤユニットであり、可動レンズ５，６を通じて撮像を行う。
【００２１】
１５は固定レンズ枠１に取り付けられたローパス赤外カットフィルターである。１６は絞りユニット９に通電するためのフレキシブルプリント基板で、図２に示すようにＵ字形状部分１６ａを有する。このＵ字形状部分１６ａの反発力はスリーブバー３の方向に作用しており、反発力が変化しても回転規制バー４に係る力が変化しにくくなっている。
【００２２】
１７はレンズバリア地板であり、前枠２の前面に取り付けられている。１８はレンズバリア遮光板であり、ネジ１９によりレンズバリア地板１７に光軸直交面内にて回転可能に取り付けられている。
【００２３】
２０はレンズバリア遮光板１８を開閉駆動するためのレンズバリアモーター（駆動源）であり、２１はレンズバリアモーター２０の出力をレンズバリア遮光板１８に伝達する減速ギヤである。この減速ギヤ２１は、レンズバリア地板１７に立てられた軸２２に回転自在に嵌合し、止め輪２３により抜け止めされている。２４は、一端がレンズバリア遮光板１８に、他端がレンズバリア地板１７に立てられた段ビス２５にそれぞれ引っ掛けられ、レンズバリア遮光板１８が開位置側に位置するときにはレンズバリア遮光板１８を開位置方向に片寄せし、レンズバリア遮光板１８が閉位置側に位置するときにはレンズバリア遮光板１８を閉位置方向に片寄せするレンズバリアばねである。
【００２４】
ここで、レンズバリア遮光板１８の開閉と可動レンズ枠８の位置とレンズ位置センサ１３との関係について図６を用いて説明する。レンズバリア遮光板１８が開位置よりも閉位置側にある場合には、このレンズバリア遮光板１８に対して可動レンズ枠８の前端が干渉することになるので、可動レンズ枠８の移動可能範囲は図６に示すようにレンズ位置センサ１３による検出位置よりも後方（像面側）の範囲に規制される。
【００２５】
一方、レンズバリア遮光板１８が開位置にある場合には、可動レンズ枠８はレンズバリア遮光板１８に干渉することなく前枠２よりも前方に突出できるので、可動レンズ枠８の移動可能範囲は図６に示すようにレンズ位置センサ１３による検出位置よりも前方（被写体側）まで広がる。
【００２６】
このように、レンズバリア遮光板１８の開閉状態によって可動レンズ枠８の移動可能範囲が変わり、可動レンズ枠８が、レンズバリア遮光板１８が開位置に位置するとき（可動レンズ枠８が撮影状態にあるとき）には移動可能で、かつ開位置よりも閉位置側に位置するとき（可動レンズ枠８が沈胴状態にあるとき）には移動不可能な領域にあることをレンズ位置センサ１３によって検出する構成とすることで、レンズバリア遮光板１８の開閉状態を検出するためのセンサ等を設けることなくＣＣＤユニット１４による撮像（カメラ撮影）が可能か否かを判断することができる。
【００２７】
図４に示す沈胴状態から図１の撮影状態に移行する際の動作を、図７のフローチャートを用いて説明する。
【００２８】
（ステップ１）不使用状態での振動等により、可動レンズ枠８の前端が閉状態のレンズバリア遮光板１８に当接している場合があるので、ステッピングモーター１０を回転させ、可動レンズ枠８を送りネジ１０ａのリードの半分より多く光軸方向後方に駆動する。これにより、可動レンズ枠８の前端はレンズバリア遮光板１８から確実に離れる。
【００２９】
（ステップ２）レンズバリアモーター２０を駆動し、レンズバリア遮光板１８を、完全に開ききるまでに相当する量又は開ききる以上の量、開駆動する。ステップ１にて可動レンズ枠８とレンズバリア遮光板１８との離間が保証されているため、レンズバリア遮光板１８はスムーズに開動作する。なお、レンズバリアモーター２０に余計な負荷がかかることがないので、レンズバリアモーター２０を小型化できる。
【００３０】
（ステップ３）ステッピングモーター１０をステップ１とは逆方向に回転させ、可動レンズ枠８を光軸方向前方に駆動する。
【００３１】
（ステップ４）可動レンズ枠８が沈胴範囲から前方に移動してレンズ位置センサ１３により検出される位置よりも前方の所定位置に移動するまでの最大駆動量をａとする。この最大駆動量ａ以内に位置センサ１３により可動レンズ枠８が検出されれば、ステップ５に進み、検出されなければステップ７に進む。
【００３２】
（ステップ５）可動レンズ枠８を、レンズ位置センサ１３により検出された位置から無限遠ピント位置又は所定の初期位置まで駆動する。なお、この動作が、請求の範囲にいう撮影準備動作に相当する。
【００３３】
（ステップ６）撮影準備完了と判断し、この後、撮影者のレリーズスイッチの操作等に応じてＣＣＤユニット１４による撮像が可能となる。
【００３４】
（ステップ７）レンズバリアの開閉異常、可動レンズの駆動異常又はセンサ異常などによる撮影不能と判断する。
【００３５】
次に、図１に示す撮影状態から図４の沈胴状態に移行する際の動作を図８のフローチャートを用いて説明する。
【００３６】
（ステップ１１）使用中の振動等によりレンズバリア遮光板１８が開位置から閉方向にずれて可動レンズ枠８に当接している場合があるので、レンズバリアモーター２０を駆動してレンズバリア遮光板１８を若干開く方向に駆動する。
【００３７】
（ステップ１２）ステッピングモーター１０を駆動して、可動レンズ枠８を位置センサ１３による検出位置よりも後方の沈胴位置まで移動させる。この際、ステップ１１にてレンズバリア遮光板１８と可動レンズ枠８との離間が保証されているので、レンズバリア遮光板１８に無理な負荷がかかることなく可動レンズ枠８を沈胴動作させることができる。
【００３８】
（ステップ１３）レンズバリアモーター２０を駆動して、レンズバリア遮光板１８を閉じる。
【００３９】
（第２の実施例）
図９および図１０には、本発明の第２実施形態であるレンズ装置の構成を示している。図９はレンズ装置（バリア開状態）を光軸直交方向から見た場合の断面図であり、図１０はレンズ装置（バリア閉状態）を光軸直交方向から見た図である。なお、本実施形態のレンズ装置は、デジタルスチルカメラやビデオカメラ等のカメラに備えられる。
【００４０】
これらの図において、３１は固定レンズ枠、３２は固定レンズ枠３１に取り付けられた前枠である。なお、固定レンズ枠３１および前枠３２により装置本体が構成される。
【００４１】
３３は固定レンズ枠３１と前枠３２との間に挟まれ、光軸方向に延びるスリーブバー、３４は固定レンズ枠３１と前枠３２との間に挟まれ、光軸方向に延びる回転規制バーである。３５は第１可動レンズ、３６は第２可動レンズ、３８は第１可動レンズ３５と第２可動レンズ３６を保持し、スリーブバー３３により光軸方向にガイドされるとともに、回転規制バー３４によりスリーブバー３３を中心とした回転が規制される可動レンズ枠である。
【００４２】
３９は可動レンズ枠３８に取り付けられた絞りユニット、４０は固定レンズ枠３１に取り付けられたレンズ駆動用ステッピングモーター、４１は可動レンズ枠３８に形成された穴３８ａと穴３８ｂに挿入され、可動レンズ枠３８に対して光軸方向に移動可能に取り付けられたラックである。このラック４１は、ステッピングモーター４０の出力軸と一体的に設けられた送りネジ４０ａと噛み合っている。
【００４３】
このため、不図示の制御回路によりステッピングモーター４０が駆動され、送りネジ４０ａが回転すると、可動レンズ枠３８は光軸方向に駆動される。これにより、図９に示すように、可動レンズ枠３８を前枠３２から突出させた状態でピント合わせのために光軸方向に移動させたり、図１０に示すように、可動レンズ枠３８を前枠３２から後退させて収納する（沈胴させる）ことができる。なお、４２はラック４１を可動レンズ枠３８の後ろ側に片寄せして、ラック４１と可動レンズ枠３８との光軸方向位置決めを行わせるラックばねである。また、不図示の制御回路により絞りユニット３９を駆動することにより、絞り開口径を変化させることができる。
【００４４】
４３は可動レンズ枠３８の位置検出をするレンズ位置検出装置（レンズ位置検出手段）であり、第１レンズ位置センサ４３ａおよび第２レンズ位置センサ４３ｂを有する。これらレンズ位置センサ４３ａ，４３ｂは、本実施形態では、発光部と受光部とを有するフォトインタラプタからなり、図１０に示すように可動レンズ枠３８の遮光部３８ｃが発光部から受光部への光を遮断する位置に位置するときには検出信号を出力せず、図９に示すように遮光部３８ｃが発光部から受光部への光を遮断しない位置に位置するときに検出信号を出力する。
【００４５】
４４は固定レンズ枠３１に取り付けられたＣＣＤユニットであり、可動レンズ３５，３６を通じて撮像を行う。
【００４６】
４５は固定レンズ枠３１に取り付けられたローパス赤外カットフィルターである。４６は絞りユニット３９に通電するためのフレキシブルプリント基板で、第１実施形態と同様にＵ字形状部分を有する。このＵ字形状部分の反発力はスリーブバー３３の方向に作用しており、反発力が変化しても回転規制バー３４に係る力が変化しにくくなっている。
【００４７】
４７はレンズバリア地板であり、前枠３２の前面に取り付けられている。４８はレンズバリア遮光板であり、ネジ４９によりレンズバリア地板４７に光軸直交面内にて回転可能に取り付けられている。
【００４８】
５０はレンズバリア遮光板４８を開閉駆動するためのレンズバリアモーター（駆動源）であり、５１はレンズバリアモーター５０の出力をレンズバリア遮光板４８に伝達する減速ギヤである。この減速ギヤ５１は、レンズバリア地板４７に立てられた軸５２に回転自在に嵌合し、止め輪５３により抜け止めされている。５４は、一端がレンズバリア遮光板４８に、他端がレンズバリア地板４７に立てられた段ビス５５にそれぞれ引っ掛けられ、レンズバリア遮光板４８が開位置側に位置するときにはレンズバリア遮光板４８を開位置方向に片寄せし、レンズバリア遮光板４８が閉位置側に位置するときにはレンズバリア遮光板４８を閉位置方向に片寄せするレンズバリアばねである。
【００４９】
ここで、レンズバリア遮光板４８の開閉と可動レンズ枠３８の位置とレンズ位置検出装置４３との関係について図１１を用いて説明する。レンズバリア遮光板４８が開位置よりも閉位置側にある場合には、このレンズバリア遮光板４８に対して可動レンズ枠３８の前端が干渉することになるので、可動レンズ枠３８の移動可能範囲は図１１に示すように第１レンズ位置センサ４３ａによる検出位置よりも後方（像面側）の範囲に規制される。但し、この移動可能範囲は第２レンズ位置センサ４３ｂによる検出位置を含む。
【００５０】
一方、レンズバリア遮光板４８が開位置にある場合には、可動レンズ枠３８はレンズバリア遮光板４８に干渉することなく前枠３２よりも前方に突出できるので、可動レンズ枠３８の移動可能範囲は図１１に示すように第１レンズ位置センサ４３ａによる検出位置よりも前方（被写体側）まで広がる。
【００５１】
このように、レンズバリア遮光板４８の開閉状態によって可動レンズ枠３８の移動可能範囲が変わり、可動レンズ枠３８が、レンズバリア遮光板４８が開位置に位置するとき（可動レンズ枠３８が撮影状態にあるとき）には移動可能で、かつ開位置よりも閉位置側に位置するとき（可動レンズ枠３８が沈胴状態にあるとき）には移動不可能な領域にあることを第１レンズ位置センサ４３ａによって検出する構成とすることで、レンズバリア遮光板４８の開閉状態を検出するためのセンサ等を設けることなくＣＣＤユニット４４による撮像（カメラ撮影）が可能か否かを判断することができる。
【００５２】
図１０に示す沈胴状態から図９の撮影状態に移行する際の動作を、図１２のフローチャートを用いて説明する。
【００５３】
（ステップ２１）不使用状態での振動等により、可動レンズ枠３８の前端が閉状態のレンズバリア遮光板４８に当接している場合があるので、ステッピングモーター４０を回転させ、可動レンズ枠３８を第２レンズ位置センサ４３ｂにより検出される位置まで駆動し、レンズバリア遮光板４８から確実に離れる位置に配置する。
【００５４】
（ステップ２２）レンズバリアモーター５０を駆動し、レンズバリア遮光板４８を、完全に開ききるまでに相当する量又は開ききる以上の量、開駆動する。ステップ２１にて可動レンズ枠３８とレンズバリア遮光板４８との離間が保証されているため、レンズバリア遮光板４８はスムーズに開動作する。なお、レンズバリアモーター５０に余計な負荷がかかることがないので、レンズバリアモーター５０を小型化できる。
【００５５】
（ステップ２３）ステッピングモーター４０をステップ２１とは逆方向に回転させ、可動レンズ枠３８を光軸方向前方に駆動する。
【００５６】
（ステップ２４）可動レンズ枠３８が沈胴範囲から前方に移動して第１レンズ位置センサ４３ａにより検出される位置よりも前方の所定位置に移動するまでの最大駆動量をａとする。この最大駆動量ａ以内に第１レンズ位置センサ４３ａにより可動レンズ枠３８が検出されれば、ステップ２５に進み、検出されなければステップ２７に進む。
【００５７】
（ステップ２５）可動レンズ枠３８を、第１レンズ位置センサ４３ａにより検出された位置から無限遠ピント位置又は所定の初期位置まで駆動する。なお、この動作が、請求の範囲にいう撮影準備動作に相当する。
【００５８】
（ステップ２６）撮影準備完了と判断し、この後、撮影者のレリーズスイッチの操作等に応じてＣＣＤユニット４４による撮像が可能となる。
【００５９】
（ステップ２７）レンズバリアの開閉異常、可動レンズの駆動異常又はセンサ異常などによる撮影不能と判断する。
【００６０】
次に、図９に示す撮影状態から図１０の沈胴状態に移行する際の動作を図１３のフローチャートを用いて説明する。
【００６１】
（ステップ３１）使用中の振動等によりレンズバリア遮光板４８が開位置から閉方向にずれて可動レンズ枠３８に当接している場合があるので、レンズバリアモーター５０を駆動してレンズバリア遮光板４８を若干開く方向に駆動する。
【００６２】
（ステップ３２）ステッピングモーター４０を駆動して、可動レンズ枠３８を第２レンズ位置センサ４３ｂによる検出位置（沈胴位置）まで移動させる。この際、ステップ３１にてレンズバリア遮光板４８と可動レンズ枠３８との離間が保証されているので、レンズバリア遮光板４８に無理な負荷がかかることなく可動レンズ枠３８を沈胴動作させることができる。
【００６３】
（ステップ３３）レンズバリアモーター５０を駆動して、レンズバリア遮光板４８を閉じる。
【００６４】
なお、上記各実施形態では、レンズバリア遮光板が光軸直交面内にて回転動作する場合について説明したが、本発明はレンズバリアが光軸直交面内にて平行移動動作したり光軸方向に開閉（揺動）動作する場合にも適用可能である。
【００６５】
また、上記各実施形態では、撮影手段としてＣＣＤユニットを備えたレンズ装置ないしカメラについて説明したが、本発明は撮影手段として銀塩フィルムを用いるカメラ等にも適用することができる。
【００６６】
さらに、上記各実施形態では、レンズ位置センサとしてフォトインタラプタを用いる場合について説明したが、他の形式のセンサ（フォトリフレクタや電気接点方式のセンサ等）を用いる場合にも適用することが可能である。
【００６７】
また、上記各実施形態では、レンズ装置にＣＣＤユニットを取り付けた場合について説明したが、本発明は、レンズ装置を備えたカメラ本体にＣＣＤユニットを取り付けた場合にも適用することができる。
【００６８】
【発明の効果】
以上説明したように、本発明によれば、レンズバリアが完全に開いてないときには、可動レンズ保持部材は、レンズバリアが開状態のときにのみ移動できる領域（例えば、カメラ撮影が可能な領域）に移動することができないので、レンズバリアの開閉状態を検出するまでもなく撮影を防止することができる。一方、レンズバリアが開いていれば、可動レンズ保持部材が上記領域に移動でき、位置検出されるため、レンズバリアの開閉状態を検出するまでもなく撮影を許容することができる。このように、レンズバリアの開閉状態を検出する手段を設けなくても、レンズバリアの開閉状態に応じた適切な撮影可否の判断を行うことができる。
【００６９】
また、本発明によれば、レンズ装置又はカメラの使用中に振動等によってレンズバリアが閉位置の方向にずれ、レンズバリアよりも光軸方向前方に突出する等していた可動レンズ保持部材に当接していても、可動レンズ保持部材を光軸方向後方に移動させる前にレンズバリアを開位置の方向に一旦駆動して可動レンズ保持部材から確実に離すことができるため、レンズバリアに無理な負荷をかけることなく可動レンズ保持部材を移動（収納）させることができる。
一方、レンズバリアを閉位置から開位置に移動させて沈胴状態の可動レンズ保持部材を光軸方向前方に移動させる際に、レンズバリアの移動に先立って可動レンズ保持部材を光軸方向後方に一旦駆動させることができる。この場合には、レンズ装置又はカメラの不使用時に振動等によって可動レンズ保持部材が光軸方向前方にずれてレンズバリアに当接しても、レンズバリアを開動作させる前に可動レンズ保持部材を確実にレンズバリアから離すことができるため、レンズバリアをスムーズに開動作させることができる。したがって、レンズバリアを駆動する駆動源に余計な負荷がかかることを防止でき、駆動源の小型化、ひいてはレンズ装置やカメラの小型・軽量化を図ることができる。
【図面の簡単な説明】
【図１】本発明の第１実施形態であるレンズ装置（レンズバリア開状態）の断面図。
【図２】図１のＡ−Ａ断面から見たレンズ装置の断面図。
【図３】上記レンズ装置（レンズバリア開状態）の正面図。
【図４】上記レンズ装置の断面図。
【図５】上記レンズ装置（レンズバリア閉状態）の正面図。
【図６】上記レンズ装置におけるレンズ位置センサと可動レンズの移動範囲との関係図。
【図７】上記レンズ装置の沈胴状態から撮影状態までの動作を表すフローチャート。
【図８】上記レンズ装置の撮影状態から沈胴状態までの動作を表すフローチャート。
【図９】本発明の第２実施形態であるレンズ装置（レンズバリア開状態）の断面図。
【図１０】上記第２実施形態のレンズ装置（レンズバリア閉状態）の断面図。
【図１１】上記第２実施形態のレンズ装置におけるレンズ位置センサと可動レンズの移動範囲との関係図。
【図１２】上記第２実施形態のレンズ装置の沈胴状態から撮影状態までの動作を表すフローチャート。
【図１３】上記第２実施形態のレンズ装置の撮影状態から沈胴状態までの動作を表すフローチャート。
【符号の説明】
１，３１…固定レンズ枠
２，３２…前枠
３，３３…スリーブバー
４，３４…回転規制バー
５，３５…第１可動レンズ
６，３６…第２可動レンズ
８，３８…可動レンズ枠
９，３９…絞りユニット
１０，４０…ステッピングモーター
１１，４１…ラック
１２，４２…ラックばね
１３，４３ａ，４３ｂ…レンズ位置センサ
１４，４４…ＣＣＤユニット
１５，４５…ローパス赤外カットフィルター
１６，４６…フレキシブルプリント基板
１７，４７…レンズバリア地板
１８，４８…レンズバリア遮光板
１９，４９…ネジ
２０，５０…レンズバリアモーター
２１，５１…減速ギヤ
２２，５２…回転軸
２３，５３…止め輪
２４，５４…レンズバリアばね
２５，５５…段ビス
【図１】
0004311694.tif 000002
【図２】
0004311694.tif 000003
【図３】
0004311694.tif 000004
【図４】
0004311694.tif 000005
【図５】
0004311694.tif 000006
【図６】
0004311694.tif 000007
【図７】
0004311694.tif 000008
【図８】
0004311694.tif 000009
【図９】
0004311694.tif 000010
【図１０】
0004311694.tif 000011
【図１１】
0004311694.tif 000012
【図１２】
0004311694.tif 000013
【図１３】
0004311694.tif 000014